(57)【要約】【課題】容易に組み立て及び折り畳み可能な陳列棚の提供。【解決手段】  折り目に沿って折り曲げられたシート状部材が折り目の山側同士が当接するよう配置され、シート状部材の折り目の谷側に陳列面を有する陳列棚であり、シート状部材は、折り目に対し一側に位置する第一面と折り目に対して他側に位置する第二面とを有しており、隣り合う２つのシート状部材の一方のシート状部材の第一面と他方のシート状部材の前記第二面とが当接するように重ね合わされており、少なくとも１つのシート状部材は、第一面及び第二面に跨り存在するように設けられた縁部と、折り目上に存在する折り曲げ起点と縁部の端点とを結ぶ第一折り曲げ線と、折り曲げ起点と縁部の端点とを結ぶ第二折り曲げ線と、で囲まれる陳列部を有し、陳列部を折り目の谷側へ引き出すように第一面及び第二面を折り曲げることで陳列面を形成可能である、陳列棚。【選択図】図１
2015150187.tif 000002
【特許請求の範囲】
【請求項１】
折り目に沿って折り曲げられた３つ以上のシート状部材が、前記折り目の山側同士が当接するように配置され、少なくとも１つの前記シート状部材の前記折り目の谷側に陳列面を有する、折り畳み及び展開可能な陳列棚であって、
前記シート状部材は、前記折り目に対して一側に位置する第一面と、前記折り目に対して他側に位置する第二面とを有し、
前記３つ以上のシート状部材は、隣り合う２つの前記シート状部材のうちの一方のシート状部材の前記第一面と他方のシート状部材の前記第二面とが当接するように重ね合わされ、
前記少なくとも１つのシート状部材は、
前記第一面及び前記第二面に跨り存在するように設けられた縁部と、
前記第一面に存在する折り曲げ線であって、前記折り目上に存在する折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚。
【請求項２】
２つ以上の前記シート状部材が、前記陳列部を有する陳列棚であって、
複数の前記陳列部によって一つの陳列面を形成可能である、請求項１に記載の陳列棚。
【請求項３】
板状の背面部材と、２つ以上のシート状部材と、を有し、
折り目に沿って折り曲げられた前記シート状部材が、前記シート状部材の前記折り目の山側同士が当接するとともに、全ての前記シート状部材の前記折り目の山側が前記背面部材と当接するように配置され、少なくとも１つの前記シート状部材の前記折り目の谷側に陳列面を有する、折り畳み及び展開可能な陳列棚であって、
前記シート状部材は、前記折り目に対して一側に位置する第一面と、前記折り目に対して他側に位置する第二面を有し、
前記背面部材は、前記２つ以上のシート状部材の中から任意に選択された互いに隣接する第一及び第二のシート状部材のうち、前記第一のシート状部材の第一面と、前記第二のシート状部材の第二面と当接するように重ね合され、
前記２つ以上のシート状部材が有する前記第一面及び前記第二面のうち、前記背面部材に当接していない第一面及び第二面に関して、隣り合う２つの前記シート状部材のうちの一方のシート状部材の前記第一面と他方のシート状部材の前記第二面とが当接するように重ね合わされ、
前記少なくとも１つのシート状部材は、
前記第一面及び前記第二面に跨り存在するように設けられた縁部と、
前記第一面に存在する折り曲げ線であって、前記折り目上に存在する折り曲げ起点と前記縁部とを結ぶ第一折り曲げ線と、
前記第二面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚。
【請求項４】
２つ以上の前記シート状部材が、前記陳列部を有する陳列棚であって、
複数の前記陳列部によって一つの陳列面を形成可能である、請求項３に記載の陳列棚。
【請求項５】
折り目に沿って折り曲げられた、一のシート状部材と別のシート状部材とに関して、前記一のシート状部材の前記折り目の山側と、前記別のシート状部材の前記折り目の谷側と、が当接するように配置され、前記一のシート状部材の前記折り目の谷側に陳列面を有する、折り畳み及び展開可能な陳列棚であって、
前記一のシート状部材は、
前記折り目に対して一側に位置する第一面と、前記折り目に対して他側に位置する第二面とを有し、
前記第一面及び前記第二面に跨り存在するように設けられた縁部と、
前記第一面に存在する折り曲げ線であって、前記折り目上に存在する折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、折り畳み及び展開可能な陳列棚。
【請求項６】
前記陳列面の底部に設けられた開口部と、
前記開口部を挿通する棒状部材と、
前記棒状部材が挿入され、当該挿入された棒状部材を支持する支持空間と、を更に有し、
前記開口部と前記支持空間とは、前記棒状部材が連通可能となっており、
前記第一面及び前記第二面に跨り存在し、且つ、前記折り曲げ起点に隣接するように設けられ頂辺部と、
前記第一面及び前記第二面に跨り存在し、且つ、前記折り目において、前記頂辺部からみて前記折り曲げ起点とは異なる側に設けられた底辺部と、
前記第一面に存在する折り曲げ線であって、前記頂辺部の端点と、前記底辺部の端点と、を結ぶ第一支持部折り曲げ線と、
前記第二面に存在する折り曲げ線であって、前記頂辺部の端点と、前記底辺部の端点と、を結ぶ第二支持部折り曲げ線と、
で囲まれる支持部を有し、
前記支持部を前記折り目の谷側へ引き出すように前記第一支持部折り曲げ線及び前記第二支持部折り曲げ線に沿って前記第一面及び前記第二面を折り曲げることにより、前記支持空間を形成可能である
ことを特徴とする、請求項１〜５のいずれか一項に記載の陳列棚。
【請求項７】
全ての前記シート状部材が、一体的に形成されている、請求項１〜６の何れか一項に記載の陳列棚。
【請求項８】
前記シート状部材が紙製である、請求項１〜７の何れか一項に記載の陳列棚。
【発明の詳細な説明】
【技術分野】
【０００１】
本発明は、未使用時には省スペースな折り畳み状態とし、使用時には展開状態とすることが可能な陳列棚に関するものである。
【背景技術】
【０００２】
従来から、展示会等での製品の展示スペース確保や、小売店等での商品の陳列スペースの増設の手段として、組み立て式の展示台や陳列棚が使用されている。
【０００３】
また、組み立て式の陳列棚は、据え置き型の商品棚と異なり容易に設置及び廃棄が可能であるため、特定の商品を最もアピール出来る形状や印刷を付与した上で当該商品専用の陳列棚とし、当該商品の販売期間が終了したら廃棄する、といった用途にも用いられる。
【０００４】
このように、組み立て式の陳列棚は、設置期間や設置場所に対しての細かい要求に応える必要があるため、折り畳み、組み立て及び持ち運びが容易であることが求められていた。
【０００５】
組み立て式の展示台や陳列棚として、例えば特許文献１には、多角柱状の枠体に連結体を設け、当該連結体を介して別の枠体とを係合させることで、積み上げ作業の安全性を保ち、且つ、枠体の積み上げの向きを容易に変更可能な、複数の枠体を積み上げて形成される陳列台が開示されている。
【先行技術文献】
【特許文献】
【０００６】
【特許文献１】特許第４３０３０４０号公報
【発明の概要】
【発明が解決しようとする課題】
【０００７】
しかしながら、特許文献１に係る展示台においては枠体の組み立て時に各部材を接着して固定（又は係合させて固定）する必要があるため、組み立て及び折り畳みが容易ではなかった。
【０００８】
そこで、本発明は、上記課題に鑑みて成されたものであり、容易に折り畳み及び展開可能な陳列棚を提供することを目的とする。
【課題を解決するための手段】
【０００９】
具体的には、本発明に係る陳列棚は、下記（１）〜（８）の構成を有するものである。
本発明の（１）は、折り目に沿って折り曲げられた３つ以上のシート状部材が、前記折り目の山側同士が当接するように配置され、少なくとも１つの前記シート状部材の前記折り目の谷側に陳列面を有する、折り畳み及び展開可能な陳列棚であって、
前記シート状部材は、前記折り目に対して一側に位置する第一面と、前記折り目に対して他側に位置する第二面とを有し、
前記３つ以上のシート状部材は、隣り合う２つの前記シート状部材のうちの一方のシート状部材の前記第一面と他方のシート状部材の前記第二面とが当接するように重ね合わされ、
前記少なくとも１つのシート状部材は、
前記第一面及び前記第二面に跨り存在するように設けられた縁部と、 
前記第一面に存在する折り曲げ線であって、前記折り目上に存在する折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
ここで、ある部材と別の部材とが当接するとは、これら部材が直接的に接触している状態のみならず、当該ある部材と当該別の部材とが直接的に接触されていない状態（例えば、当該部材間に別の部材が挿入される等して、間接的に固着されている状態等）も含む。
本発明の（２）は、２つ以上の前記シート状部材が、前記陳列部を有する陳列棚であって、
複数の前記陳列部によって一つの陳列面を形成可能である、前記（１）の陳列棚である。
本発明の（３）は、板状の背面部材と、２つ以上のシート状部材と、を有し、
折り目に沿って折り曲げられた前記シート状部材が、前記シート状部材の前記折り目の山側同士が当接するとともに、全ての前記シート状部材の前記折り目の山側が前記背面部材と当接するように配置され、少なくとも１つの前記シート状部材の前記折り目の谷側に陳列面を有する、折り畳み及び展開可能な陳列棚であって、
前記シート状部材は、前記折り目に対して一側に位置する第一面と、前記折り目に対して他側に位置する第二面を有し、
前記背面部材は、前記２つ以上のシート状部材の中から任意に選択された互いに隣接する第一及び第二のシート状部材のうち、前記第一のシート状部材の第一面と、前記第二のシート状部材の第二面と当接するように重ね合され、
前記２つ以上のシート状部材が有する前記第一面及び前記第二面のうち、前記背面部材に当接していない第一面及び第二面に関して、隣り合う２つの前記シート状部材のうちの一方のシート状部材の前記第一面と他方のシート状部材の前記第二面とが当接するように重ね合わされ、
前記少なくとも１つのシート状部材は、
前記第一面及び前記第二面に跨り存在するように設けられた縁部と、 
前記第一面に存在する折り曲げ線であって、前記折り目上に存在する折り曲げ起点と前記縁部とを結ぶ第一折り曲げ線と、
前記第二面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
本発明の（４）は、２つ以上の前記シート状部材が、前記陳列部を有する陳列棚であって、
複数の前記陳列部によって一つの陳列面を形成可能である、前記（３）の陳列棚である。
本発明の（５）は、折り目に沿って折り曲げられた、一のシート状部材と別のシート状部材とに関して、前記一のシート状部材の前記折り目の山側と、前記別のシート状部材の前記折り目の谷側と、が当接するように配置され、前記一のシート状部材の前記折り目の谷側に陳列面を有する、折り畳み及び展開可能な陳列棚であって、
前記一のシート状部材は、
前記折り目に対して一側に位置する第一面と、前記折り目に対して他側に位置する第二面とを有し、
前記第一面及び前記第二面に跨り存在するように設けられた縁部と、 
前記第一面に存在する折り曲げ線であって、前記折り目上に存在する折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、折り畳み及び展開可能な陳列棚である。
本発明の（６）は、前記陳列面の底部に設けられた開口部と、
前記開口部を挿通する棒状部材と、
前記棒状部材が挿入され、当該挿入された棒状部材を支持する支持空間と、を更に有し、
前記開口部と前記支持空間とは、前記棒状部材が連通可能となっており、
前記第一面及び前記第二面に跨り存在し、且つ、前記折り曲げ起点に隣接するように設けられ頂辺部と、
前記第一面及び前記第二面に跨り存在し、且つ、前記折り目において、前記頂辺部からみて前記折り曲げ起点とは異なる側に設けられた底辺部と、
前記第一面に存在する折り曲げ線であって、前記頂辺部の端点と、前記底辺部の端点と、を結ぶ第一支持部折り曲げ線と、
前記第二面に存在する折り曲げ線であって、前記頂辺部の端点と、前記底辺部の端点と、を結ぶ第二支持部折り曲げ線と、
で囲まれる支持部を有し、
前記支持部を前記折り目の谷側へ引き出すように前記第一支持部折り曲げ線及び前記第二支持部折り曲げ線に沿って前記第一面及び前記第二面を折り曲げることにより、前記支持空間を形成可能である、前記（１）〜（５）の何れか一つの陳列棚である。
本発明の（７）は、全ての前記シート状部材が、一体的に形成されている、前記（１）〜（６）の何れか一つの陳列棚である。
本発明の（８）は、前記シート状部材が紙製である、前記（１）〜（７）の何れか一つの陳列棚である。
【発明の効果】
【００１０】
本発明によれば、容易に折り畳み及び展開可能な陳列棚を提供することが可能である。
【図面の簡単な説明】
【００１１】
【図１】本発明の第一実施形態に係る陳列棚１００の、斜視図である。
【図２】本発明の第一実施形態に係る陳列棚１００の、上面図である。
【図３】本発明の第一実施形態に係る陳列棚１００の、正面図である。
【図４】本発明の第一実施形態に係る陳列棚１００の、組み立て方法を示す展開図（ａ）及び斜視図（ｂ）である。
【図５】本発明の第一実施形態に係る陳列棚１００の、折り畳み方法を示す斜視図である。
【図６】本発明の第二実施形態に係る陳列棚２００の、組み立て方法を示す展開図（ａ）及び斜視図（ｂ）である。
【図７】本発明の第二実施形態に係る陳列棚２００の、組み立て方法を示す斜視図である。
【図８】本発明の第三実施形態に係る陳列棚３００の、上面図（ａ）及び斜視図（ｂ）である。
【図９】本発明の第三実施形態に係る陳列棚３００の、上面図（ａ）及び斜視図（ｂ）である。
【図１０】本発明の第四実施形態に係る陳列棚４００の、斜視図である。
【図１１】本発明の第五実施形態に係る陳列棚５００の、斜視図である。
【図１２】本発明の第六実施形態に係る陳列６００の、組み立て方法を示す斜視図である。
【図１３】本発明の第七実施形態に係る陳列７００の、斜視図である。
【図１４】本発明の第七実施形態に係る陳列７００の、上面図である。
【図１５】本発明の第七実施形態に係る陳列７００の、正面図である。
【図１６】本発明の第七実施形態に係る陳列７００の、展開図である。
【図１７】本発明の第七実施形態に係る陳列７００の、使用方法を示す斜視図である。
【図１８】本発明の第七実施形態に係る陳列７００の、使用方法を示す斜視図である。
【発明を実施するための形態】
【００１２】
以下、図面を参照しながら、本発明の好適な実施形態に係る陳列棚に関して詳述する。
【００１３】
ここで、以下の実施形態は、あくまで一例であり、各部材の材質、接着方法、重ね順等に関し、以下の態様に限定されるものではない。また、各実施形態は、特定のものに対して適用されると限定的に解すべきでなく、どのような組み合わせであってもよい。例えば、技術的に矛盾しない限り、ある実施形態についての記載は、別の実施形態についての記載でもあると理解すべきであり、また、ある記載と別の記載が独立して記載されていたとしても、当該ある記載と当該別の記載を組み合わせたものも記載されていると理解すべきである。更に、以下の実施形態や変更例において示す具体的一例としての数値等の情報は、あくまで一例であり、以下の実施形態や変更例の趣旨を大きく逸脱しない限りにおいては、適宜変更してもよいものであると理解すべきである。
【００１４】
≪第一実施形態≫
（陳列棚１００の構成）
先ず、図１〜図３を参照して第一実施形態に係る陳列棚１００の全体構成に関して説明する。尚、本実施形態においては、シート状部材１１００と、シート状部材１２００と、シート状部材１３００と、が原則として略同一となるように構成されており、シート状部材１１００に関して詳細な説明が成された場合、それは同時にシート状部材１２００やシート状部材１３００の説明が成されたものと解するべきである。他方、陳列棚１００を構成可能であれば、シート状部材１１００、シート状部材１２００及びシート状部材１３００の形状は同一とする必要はなく、各々異なる形状としてもよい。
【００１５】
先ず、図１は本実施形態に係る陳列棚１００（陳列面展開状態）の全体図（斜視図）であり、図２は当該陳列棚１００の上面図であり、図３は当該陳列棚１００の正面図である。
【００１６】
図１及び図２に示すように、陳列棚１００は、シート状部材１１００、シート状部材１２００及びシート状部材１３００が、平面視にて（あるいは水平断面が）略Ｙ字状となるように当接するよう構成されている。また、陳列棚１００には、物品を載置可能な面（空間）であり、頂点を下方に向けた略六角錐状である、陳列面（上陳列面１０２及び下陳列面１０３）が設けられている。
【００１７】
次に、陳列棚１００のより詳細な構成について説明する。図１、図２及び図３に示すように、本実施形態に係る陳列棚１００は、折り目１１０１に沿って折り曲げ可能なシート状部材１１００と、折り目１２０１に沿って折り曲げ可能なシート状部材１２００と、折り目１３０１に沿って折り曲げ可能なシート状部材１３００と、から構成され、当該折り目に沿って折り曲げられた３つのシート状部材（シート状部材１１００、シート状部材１２００及びシート状部材１３００）が、当該折り目の山側同士が当接するように配置されている。更に、各々のシート状部材は当該折り目の山側に位置する面同士で当接しており、当該当接する面が固定されている（陳列棚１００の具体的な製造方法に関しては後述する）。このように、陳列棚１００は、中心軸１０１（陳列面が展開されていない状態において、折り目１１０１、折り目１２０１及び折り目１３０１が近接又は当接して形成される、陳列棚１００の中心部を貫く仮想の軸）を中心として、折り目に沿って折り曲げられて構成されている。
【００１８】
次に、図２及び図３を参照しながら、陳列棚１００における陳列面に関して説明する（尚、上陳列面１０２と下陳列面１０３は同様の構成であるため、下陳列面１０３の説明は省略する）。図２に示すように、上陳列面１０２は、シート状部材１１００の折り目１１０１の谷側に設けられた上陳列部１１２０と、シート状部材１２００の折り目１２０１の谷側に設けられた上陳列部１２２０と、シート状部材１３００の折り目１３０１の谷側に設けられた上陳列部１３２０と、から形成される。また、上陳列部１１２０は、上陳列面１０２の側面（略六角錐状の上陳列面１０２の２側面）となっている。
【００１９】
次に、図３を参照しながら、上陳列部１１２０をより具体的に説明する。先ず、谷折りされたシート状部材１１００の谷側の面を正面とし、設置面を下方とした際に、折り目１１０１を境界として、シート状部材１１００の、左側面を第一側面１１１１、右側面を第二側面１１１２とする。この際、上陳列部１１２０は、第一側面１１１１に設けられた第一縁部１１２２ａ及び第二側面１１１２に設けられた第二縁部１１２２ｂと、第一側面１１１１に設けられた第一折り曲げ線１１２６と、第二側面１１１２に設けられた第二折り曲げ線１１２７と、で囲まれた部分である。上陳列部１１２０は、より詳細には、第一端部１１２３と、折り曲げ起点１１２５と縁部中点１１２２ｃとを頂点とする三角形状と、第二端部１１２４と折り曲げ起点１１２５と縁部中点１１２２ｃとを頂点とする三角形状と、からなり、略六角錐状の上陳列面１０２の２側面を成す。尚、第一縁部１１２２ａ及び第二縁部１１２２ｂは、連続して存在する縁部であり、上陳列部１１２０の上方縁部（略六角錐状の上陳列面１０２の底辺の一部）を形成している。また、第一縁部１１２２ａ及び第二縁部１１２２ｂは、第一側面１１１１及び第二側面１１１２を跨るように設けられたスリット１１２１の辺（シート状部材１１００を正面視した際には、四角形状に設けられたスリット１１２１の下方に位置する辺であり、後述するシート状部材１１００の展開図においては、凹五角形状に設けられたスリット１１２１の、凹部を形成する二辺）である。縁部中点１１２２ｃは、第一縁部１１２２ａと第二縁部１１２２ｂとが接続される箇所にある仮想の点である。第一折り曲げ線１１２６（第二折り曲げ線１１２７）は、第一側面１１１１（第二側面１１１２）に存在する折り曲げ線であり、折り目１１０１上に設けられた仮想の点である折り曲げ起点１１２５と、第一縁部１１２２ａ（第二縁部１１２２ｂ）の端部（縁部中点１１２２ｃとは異なる端部）である第一端部１１２３（第二端部１１２４）と、を結ぶように形成された折り曲げ線である。
【００２０】
更に、本実施形態において、シート状部材１１００の、第一側面１１１１と第二側面１１１２とが略同一となる（即ち、シート状部材が折り目に対して略対称となる）ように構成しているが、これには何ら限定されず、第一シート状部材１１０の第一側面１１１１と、第二側面１１１２と、を異なる形状としてもよい（即ち、シート状部材１１００が折り目に対して非対称となるようにしてもよい）。
【００２１】
ここで、本実施形態に係る陳列棚１００は、上陳列面１０２において、シート状部材１１００に設けられた上陳列部１１２０と、シート状部材１２００に設けられた上陳列部１２２０と、シート状部材１３００に設けられた上陳列部１３２０とが連続的な一つの陳列面を形成するように構成されている。このような構成とすることにより、陳列棚１００のデザイン性や物品の載置量が多い点で優れ、シート状部材１１００〜シート状部材１３００の何れの方向から陳列棚１００を眺めても、上陳列面１０２（下陳列面１０３）に載置された物品を同様に認識することが可能となる。但し、このような形態には限定されず、例えば、シート状部材１１００に上陳列部１１２０を設けると共に、シート状部材１２００及びシート状部材１３００には上陳列部を設けず、上陳列部１１２０のみによって上陳列面１０２を形成するものであってもよい｛この場合、直立する２枚のシート状部材１２００及びシート状部材１３００が上陳列面１０２の側面となる｝。
【００２２】
また、本実施形態においては、陳列棚１００を、上陳列面１０２及び下陳列面１０３の２つの陳列面を有する構成としたが、これには限定されず、陳列面の数は任意に変更可能である。例えば、陳列面として上陳列面１０２又は下陳列面１０３のみを有する構成としてもよいし、３つ以上の陳列面を有する構成としてもよい。
【００２３】
更に、シート状部材の数は特に限定されず、例えばシート状部材を４枚以上としてもよい。例えば、シート状部材を４枚とした場合には、平面視にて（あるいは水平断面が）略十字状の陳列棚１００が形成される。このようにシート状部材の枚数が多い程、構造的な強度や設置安定性は増す。他方、本実施形態のようにシート状部材が少ないほど（但し３枚以上）とすることによって、部品の数が減ることから製造容易性の向上や低コスト化が図られる。この場合、更に、陳列面を眺める際に、シート状部材によって視界が遮られないため、陳列面に載置された物品の視認のし易さが増す。
【００２４】
ここで、陳列棚１００は、上陳列面１０２（下陳列面１０３）を形成可能であればよく、陳列棚１００の大きさ（例えば、陳列棚１００の高さ）は何ら限定されず用途に合わせて適宜設定すればよい。例えば、陳列棚１００の高さは、数十ｃｍから数ｍ超まで適宜変更可能である。同様に、シート状部材１１００や、シート状部材１１００に設けられた各部材の大きさ（特には、形成される上陳列面１０２や下陳列面１０３の大きさ）も、用途等に合わせて適宜変更可能である。
【００２５】
また、シート状部材１１００の厚みに関しても限定されない。例えば、より強い強度を求める際には、シート状部材を厚くすることが求められるが、持ち運びや折り畳み及び展開の容易性を高めたい場合には、シート状部材を薄くしてもよい。このように、シート状部材１１００の厚みは、用途、材質、大きさ等に応じて適宜変更可能である。
【００２６】
ここで、シート状部材１１００は、可撓性材料からなる。可撓性材料としては特に限定されないが、紙（例えば、厚紙や段ボール紙）であることが好適である。シート状部材１１００の材料として紙を使用することにより、軽量且つ廃棄容易性に優れ、低コストであると共に、広告等を直接印刷すること等が可能となる。
【００２７】
（陳列棚１００の組み立て方法）
次に、図４を参照して、本実施形態に係る陳列棚１００の組み立て方法に関して説明する。図４（ａ）は本実施形態に係る陳列棚１００の展開図（陳列棚１００の構成部材であるシート状部材１１００の平面図）であり、図４（ｂ）は本実施形態に係る陳列棚１００の組み立て方法を示す概念図（斜視図）である。尚、前述のように、シート状部材１１００、シート状部材１２００及びシート状部材１３００は原則として同一の部材であるため、図４（ａ）においては、これらシート状部材１２００及びシート状部材１３００の図示を省略する。
【００２８】
同図に示すように、陳列棚１００は、シート状部材１１００の折り目１１０１の山側と、シート状部材１２００の折り目１２０１の山側と、シート状部材１３００の折り目１２０１の山側と、を近接させ、更に、シート状部材１１１０の第二側面１１１２とシート状部材１２００の第一側面１２１１とが当接し、シート状部材１２００の第二側面１２１２とシート状部材１３００の第一側面１３１１とが当接し、シート状部材１３００の第二側面１３１２とシート状部材１１００の第一側面１１１１とが当接するように重ね合わせることにより、組み立てられる。
【００２９】
本実施形態においては、スリット１１２１を凹五角形状とし、第一縁部１１２２ａ及び第二縁部１１２２ｂが凹五角形状の凹部となるように設けられているが、第一縁部１１２２ａ及び第二縁部１１２２ｂ並びにスリット１１２１は、その形状を任意のものとしてよい。例えば、第一縁部１１２２ａ及び第二縁部１１２２ｂは、単なる切れ込みであってもよいし、スリットと切れ込みを組み合わせたものであってもよい。更には、第一縁部１１２２ａ及び第二縁部１１２２ｂをアーチ状（半楕円状）としたり、スリット自体を三日月状にしてもよい。また、本実施形態において、第一縁部１１２２ａ及び第二縁部１１２２ｂよりなる縁部は、上方向に凸な形状として設けられている。このような形状とすることにより、図１のように陳列面（上陳列面１０２）を形成した際に、陳列面（上陳列面１０２）における第一縁部１１２２ａ及び第二縁部１１２２ｂを、水平（接地面に対して平行）に近づけることが出来るため、デザイン性を高めると共に物品の載置量を多くすることが出来る。
【００３０】
尚、本実施形態に係る陳列棚１００において、シート状部材１１００の形状を四角形状としているが、これには何ら限定されず、用途やデザインに合わせて適宜変更可能である。例えば、デザイン等の観点から、シート状部材１１００を三角形状としてもよい｛この場合、シート状部材１１００、シート状部材１２００、シート状部材１３００を三角形状とすることにより、山型（正四面体骨格状）の陳列棚１００が形成される｝。
【００３１】
ここで、シート状部材１１１０の折り目１１０１は、予め折り曲げ線として設けられているものであるが、これには限定されず、組み立て段階において適宜折り目が付されればよい。同様に、上陳列部１２２０の構成部である第一折り曲げ線１１２６及び第二折り曲げ線１１２７も、陳列面形成段階において適宜折り曲げ可能な状態であればよく、予め設けられていなくてもよい。
【００３２】
尚、本実施形態においてはシート状部材１１００が表裏のないものとしているため、折り目１１０１を山折り線としても谷折り線としてもよいが、例えば片面（表面）のみが意匠面である（特定の意匠や印刷がある）場合等に関しては、陳列棚１００の組み立て及び棚展開時に、各シート状部材の当該意匠面が表面（折り目に対して谷側となる面）となるようにし、各シート状部材の裏面（折り目に対して山側となる面）同士が当接するように組み上げる。
【００３３】
ここで、陳列棚１００の組み立て時におけるシート状部材１１００、シート状部材１２００及びシート状部材１３００の固定方法としては、何ら限定されず、形成される陳列面（図１に示される上陳列面１０２及び下陳列面１０３）に商品を載置可能な程度に陳列棚１００全体が固定されていればよい。例えば、接着剤によって各部材を固定してもよい。この場合、上陳列部１１２０及び下陳列部１１３０が折り曲げられる必要があることから、当該上陳列部１１２０及び下陳列部１１３０の裏側（シート状部材１２００及びシート状部材１３００に当接する面）は、接着されていない状態（または容易に引き剥がせる状態）とする必要がある。その他、例えば、当接する一方のシート状部材に凹部を設け、他方のシート状部材に凸部を設け、当該凹部及び凸部が嵌合することによって固定されるような構成（例えば、スナップボタンのような固定方法）によって機械的に固定したり、各シート状部材の、別のシート状部材と当接する面（即ち、各シート状部材の裏面）に面ファスナーを設けたりしてもよいし、陳列棚１００の上下にＹ字のスリットが入ったカバーや蓋等を被せる、といった方法であってもよい。
【００３４】
（陳列棚１００の折り畳み方法）
次に、図５を参照して、本実施形態に係る陳列棚１００の折り畳み方法に関して説明する。
【００３５】
先ず、展開状態にある陳列棚１００（図５（ａ）、当該図は図１と同一である。）の、シート状部材１１００の上陳列部１１２０を、折り目１１０１に近づける方向に折り曲げ、同様に、シート状部材１２００及びシート状部材１３００の上陳列部を収容し、上陳列面１０２を収容する（図５（ｂ））。更に、上陳列面１０２と同様の操作を行い、下陳列面１０３を収容する（図５（ｃ））。最後に、シート状部材１１００を略平面となるまで、シート状部材１２００を、第一側面（第一側面１２１１）と第二側面（第二側面１２１２）とが近接する方向に折り目１２０１に沿って折り曲げ、平面状の折り畳み状態とする（図５（ｄ））。
【００３６】
尚、折り畳まれた陳列棚１００の展開方法に関しては、陳列棚１００の折り畳み方法の逆の手順をたどればよい。
【００３７】
（陳列棚１００の用途）
陳列棚１００は、物品の陳列を目的としていればどのような用途としても利用可能である。例えば、高さ数十ｃｍの陳列棚１００として、机上に設置して小物入れとして利用したり、印刷を施した高さ数ｍ程度の陳列棚１００として、店頭に配置し、商品の販売促進用の陳列棚とすることも出来る。
【００３８】
また、陳列棚１００のその他の用途として、上陳列面１０２又は下陳列面１０３に孔を設け、当該孔に棒状の物品（例えば、文房具や棒付き飴等）を挿し込み物品を陳列する、といった用途であってもよい。この場合、陳列部に物品を載置する必要がなく、当該孔に物品を挿し込み可能であればよいため、図１に示された状態から陳列棚１００の天地を逆転させ、上陳列面１０２が上に凸となる｛上陳列面１０２を六角錐に見立てたときに、頂点側（例えば、折り曲げ起点１１２５）が上方となり底面側（例えば、縁部中点１１２２ｃ）が下になる｝ように陳列棚を設置してもよい。また、陳列棚１００の上陳列面１０２の内部に、底板（本例では、六角形状の板）を設置し、上陳列面１０２の底面を形成してもよい。この場合、設置する物品のレイアウトの自由度を向上させることも可能である。
【００３９】
尚、本実施形態に係る陳列棚１００は、折り目（折り目１１０１、折り目１２０１、折り目１３０１）における各シート状部材の折り曲げの角度が、谷側において約１２０度となるように設置されている（平面視にて、略Ｙ字となるように設置されている）。他方、各シート状部材は、図１に示された中心軸１０１を折り曲げの軸として任意に折り曲げ可能であるため、各シート状部材の折り曲げの角度を任意の角度として設置することが可能である。従って、本実施形態に係る陳列棚１００を、一つのシート状部材を折り曲げられていない状態（即ち、陳列棚１００が、平面視にて略Ｔ字となった状態）とし、当該折り曲げられていないシート状部材を壁面に沿って当接するように設置する、といった用途としてもよい（尚、このような用途に特に適した実施形態として、後述の第三実施形態に係る陳列棚３００がある）。
【００４０】
≪第二実施形態≫
次に、第二実施形態に係る陳列棚２００に関して説明する。第二実施形態は、上述した第一実施形態とは、第一実施形態におけるシート状部材１１００、シート状部材１２００及びシート状部材１３００が、一枚の連続したシート状部材２０００として一体的に形成されている点で異なる。当該構成を有することにより本実施形態に係る陳列棚２００は、組み立ての容易性が向上し、部材が一体化されることで強度が上昇し得るという効果を奏する。
【００４１】
（陳列棚２００の構成）
図６（ａ）は、本実施形態に係る陳列棚２００の展開図（陳列棚２００の構成部材であるシート状部材２１００の平面図）である。図６（ａ）に示されるように、本実施形態に係る陳列棚２００を形成するシート状部材２０００は、折り目２００１及び折り目２００２を境界として、本実施形態に係るシート状部材１１００、シート状部材１２００及びシート状部材１３００に対応する部材が、一体化され形成されている。より具体的には、シート状部材２０００は、折り目１１０１（折り目１２０１、折り目１３０１）に対応する折り目２１０１（折り目２２０１、折り目２３０１）と、第一側面１１１１（第一側面１２１１、第一側面１３１１）に対応する側面２１１１（側面２２１１、側面２３１１）と、第二側面１１１２（第二側面１２１２、第二側面１３１２）に対応する側面２１１２（側面２２１２、側面２３１２）と、を有する。更に、シート状部材２０００は、上陳列部１１２０（上陳列部１２２０、上陳列部１３２０）に対応する上陳列部２１２０（上陳列部２２２０、上陳列部２３２０）と、下陳列部１１３０（下陳列部１２３０、下陳列部１３３０）に対応する下陳列部２１３０（上陳列部２２３０、上陳列部２３３０）と、を有する。尚、上陳列部１１２０と上陳列部２１２０とにおいて、スリット１１２１とスリット２１２１とが、第一縁部１１２２ａと第一縁部２１２２ａとが、第二縁部１１２２ｂと第二縁部２１２２ｂとが、縁部中点１１２２ｃと縁部中点２１２２ｃとが、第一端部１１２３と第一端部２１２３とが、第二端部１１２４と第二端部と２１２４が、折り曲げ起点１１２５と折り曲げ起点２１２５とが、第一折り曲げ線１１２６と第一折り曲げ線２１２６とが、第二折り曲げ線１１２７と第二折り曲げ線と２１２７が、各々対応している。また、側面２１１２と側面２２１１との境界部に折り目２００１を有し、側面２２１２と側面２３１１との境界部に折り目２００２を有する。その他の具体的な構成は、上述した実施形態と同様であるため、説明を省略する。
【００４２】
（陳列棚２００の組み立て方法）
図６（ｂ）は本実施形態に係る陳列棚２００の組み立て方法を示す概念図（斜視図）である。図６（ｂ）に示されるように、本実施形態に係る陳列棚２００の具体的な組み立て方法としては、折り目２００１及び折り目２００２を一側に折り曲げ（例えば、谷折りし）、折り目２１０１、折り目２２０１及び折り目２３０１を折り目２００１及び折り目２００２とは反対側に折り曲げる（例えば、山折りする）。その他の組み立て方法（シート状部材２１００の各部位の当接の方法）は、第一実施形態における陳列棚１００の組み立て方法と同様である。
【００４３】
本実施形態に係る陳列棚２００は、一枚のシート状部材２０００から形成されているため、組み立ての容易性が向上し、部材が一体化されることで強度が上昇し得るという効果を奏する。合わせて、製造工程の簡略化や低コスト化を行うことが出来る。
【００４４】
ここで、陳列棚２００は、例えば図７のように、側面２１１１及び側面２３１２が当接する箇所のみが接着剤等の固定手段により固定されており、その他の側面（側面２１１２、側面２２１１、側面２２１２、側面２３１１）に関しては固定されていない場合でも、陳列棚２００が形成され得る。例えば、図７のように陳列棚２００が組み立てられた状態において、側面２２１１及び側面２２１２を折り目２１０１及び折り目２３０１側に押し込む。この場合、折り目２１０１（折り目２３０１）に沿って折り曲げられた、側面２１１１及び側面２１１２、側面２３１１及び側面２３１２並びに側面２２１１及び側面２２１２において、折り曲げによる弾性力（折り目２１０１、折り目２２０１及び折り目２３０１にて平坦な状態を復元しようとして発揮される弾性力）がつり合い、折り目２２０１が折り目２１０１及び折り目２３０１に近接された状態を維持し得る。
【００４５】
また、この場合、図７に示された状態から更に折り目２３０１と折り目２２０１とを離隔させる（折り目２００１と折り目２００２とを近接させる）ようにして折り畳むことで、第１実施形態に示された陳列棚１００よりも、折り畳み状態での厚みを薄くすることが可能となる。より具体的には、第１実施形態に係る陳列棚１００を折り畳む際には、図４（ｄ）に示されるように、シート状部材の側面（第１側面又は第２側面）が２枚重なる部分と４枚重なる部分が形成されるが、図７に示された陳列棚２００によれば、側面が２枚重なる部分のみとして折り畳むことが可能となる）。
【００４６】
≪第三実施形態≫
次に、第三実施形態に係る陳列棚３００に関して説明する。第三実施形態は、上述した第一実施形態とは、第一実施形態におけるシート状部材の一つを背面部材３３００とし、当該背面部材３３００を壁に当接させるように用いるための用途とした点で異なる。
【００４７】
（陳列棚３００の構成）
図８（ａ）は陳列棚３００（陳列面展開状態）の上面図であり、図８（ｂ）は当該陳列棚３００の全体図（斜視図）であり、図９（ａ）は陳列棚３００（陳列面収納状態）の上面図であり、図９（ｂ）は当該陳列棚３００の全体図（斜視図）である。これらの図に示されるように、本陳列棚３００は、折り曲げられた状態のシート状部材３１００及びシート状部材３２００と、折り曲げられていない背面部材３３００と、からなり、平面視にて（あるいは水平断面が）略Ｔ字状となるように構成されている。また、陳列面として、上陳列面３０２及び下陳列面３０３を有する。陳列棚３００は、より具体的には、折り目３１０１に沿って折り曲げられたシート状部材３１００の折り目３１０１の山側と、折り目３２０１に沿って折り曲げられたシート状部材３２００の折り目３２０１の山側と、背面部材３３００と、が当接し、シート状部材３１００の第二側面３１１２と、シート状部材３２００の第一側面３２１１と、が当接し、更に、シート状部材３１００の第一側面３１１１及びシート状部材３２００の第二側面３２１２が、共に背面部材３３００と当接するよう構成されている。また、シート状部材３１００（シート状部材３２００）に設けられた上陳列部３１２０（上陳列部３２２０）が、折り目３１０１（折り目３２０１）の谷側へ引き出されるように折り曲げられ、上陳列面３０２を形成する。
【００４８】
ここで、シート状部材３１００（シート状部材３２００）の詳細な構成としては、第一縁部３１２２ａ（第一縁部３２２２ａ）、第二縁部３１２２ｂ（第二縁部３２２２ｂ）、縁部中点３１２２ｃ（縁部中点３２２２ｃ）の構成を変更した以外は、第一実施形態におけるシート状部材１１００（シート状部材１２００）と同様である。本実施形態に係る陳列棚３００は、図９（ｂ）に見られるように、スリット３２２１における凹五角形の凹部（第一縁部３２２２ａ、第二縁部３２２２ｂ及び縁部中点３２２２ｃで形成される凹部）が、第一実施形態に係るシート状部材１１００（シート状部材１２００とシート状部材１１００とは原則として同一である。）のスリット１２２１における凹部と異なった形状としている（より深い凹部となるようにしている）。本実施形態に係る陳列棚３００は、第一実施形態と異なり、折り目３２０１におけるシート状部材３２００の折り曲げの角度が、谷側において約９０度となるように設置される。当該角度の違いに合わせて、上陳列面３０２を形成した際の、縁部（第一縁部３２２２ａ及び第二縁部３２２２ｂ）を、水平（接地面に対して平行）に近づけるために、スリット３２２１における凹五角形の凹部の形状を変更している。その他の具体的な構成（第一端部３２２３、第二端部３２２４、折り曲げ起点３２２５、第一折り曲げ線３２２６、第二折り曲げ線３２２７等）は、上述した実施形態と同様であるため、説明を省略する。また、シート状部材３１００とシート状部材３２００とは原則として同一であるため、説明を省略する。
【００４９】
（陳列棚３００の用途）
本陳列棚３００は、背面部材３３００を壁面に当接させるように設置する用途を想定した陳列棚である。従って、図８及び図９に示されるように、背面部材３３００には、陳列部等は設けられておらず、平坦なシート状となっているため、背面部材３３００を可撓性を有しない材料（例えばプラスチック板、金属板、木板等）により形成してもよい。
【００５０】
尚、背面部材３３００の形状としては壁面に当接可能な形状であれば特に限定されず、曲面状、あるいは折り曲げられた部分を少なくとも１箇所有する形状等であってもよい。
【００５１】
≪第四実施形態≫
次に、第四実施形態に係る陳列棚４００に関して説明する。第四実施形態は、上述した第一実施形態とは、シート状部材を２つとすると共に一方のシート状部材を背面部材４２００とし、もう一方のシート状部材４１００のみに陳列面（陳列面４０２）を形成可能とし、更に陳列面の数を一つとした点で異なる。
【００５２】
（陳列棚４００の構成）
図１０（ａ）は陳列棚４００（陳列面展開状態）の全体図（斜視図）であり、図１０（ｂ）は陳列棚４００（陳列面収納状態）の全体図（斜視図）である。図１０に示すように、本実施形態に係る陳列棚４００は、折り目４１０１に沿って折り曲げ可能なシート状部材４１００及び折り目４２０１に沿って折り曲げ可能な背面部材４２００からなる。より具体的には、シート状部材４１００の折り目４１０１の山側と、背面部材４２００の折り目の谷側と、が当接するように配置されている。また、シート状部材４１００には、陳列部４１２０が形成されており、当該陳列部４１２０を折り目４１０１の谷側へ引き出すことで、陳列面４０２が形成される。尚、本実施形態においては、折り目４１０１におけるシート状部材４１００の折り曲げの角度が、谷側において約９０度となるように設置される。そのため、陳列部４１２０の、スリット４１２１、第一縁部４１２２ａ、第二縁部４１２２ｂ、縁部中点４１２２ｃに係る構成は、同様のシート状部材の折り曲げの角度を想定した、第三実施形態に係る上陳列部３２２０の、スリット３２２１、第一縁部３２２２ａ、第二縁部３２２２ｂ、縁部中点３２２２ｃに係る構成と同様としている。その他の具体的な構成（折り目４１０１、第一側面４１１１、第二側面４１１２、第一端部４１２３、第二端部４１２４、折り曲げ起点４１２５、第一折り曲げ線４１２６、第二折り曲げ線４１２７等）は、上述した実施形態と同様であるため、説明を省略する。
【００５３】
尚、本実施形態において、背面部材４２００は、陳列部等は設けられておらず、単なる平板状の部材を用いているが、これには何ら限定されず、背面部材４２００が陳列面４０２の側面を形成可能であればよい。例えば、背面部材４２００を、シート状部材４１００等と同様にスリットを設けた部材としたり、凹凸加工等が施された部材としてもよい。
【００５４】
本実施形態に係る陳列棚４００は、シート状部材４１００の折り曲げの角度が谷側において９０度となるように設置されているが、シート状部材４１００の折り曲げの角度を任意の角度として設置することも可能である。
【００５５】
≪第五実施形態≫
次に、第五実施形態に係る陳列棚５００に関して説明する。第五実施形態は、上述した第一実施形態とは、スリット等を設けず、陳列面を陳列棚の最上部に設けた（陳列棚の最上部の辺を陳列面の縁部とした）点で異なる。このような構成とすることにより、陳列面に載置された物品がより視認し易くなるという効果を奏する。その他の具体的な構成は、上述した実施形態と同様であるため、説明を省略する。
【００５６】
（陳列棚５００の構成）
図１１（ａ）は陳列棚５００（陳列面展開状態）の全体図（斜視図）であり、図１１（ｂ）は陳列棚５００（陳列面収納状態）の全体図（斜視図）である。図１１に示すように、本実施形態に係る陳列棚５００は、折り目５０１に沿って折り曲げ可能なシート状部材５１００と、同様に折り目に沿って折り曲げ可能なシート状部材５２００及びシート状部材５３００と、からなる。より具体的には、シート状部材５１００の折り目５１０１の山側と、シート状部材５２００及びシート状部材５３００の折り目の山側と、が当接するように配置されている。また、シート状部材（シート状部材５１００、シート状部材５２００及びシート状部材５３００）の各々において、縁部（第一縁部５１２２ａ、第二縁部５１２２ｂ、縁部中点５１２２ｃ、第一縁部５２２２ａ、第二縁部５２２２ｂ、縁部中点５２２２ｃ、第一縁部５３２２ａ、第二縁部５３２２ｂ、縁部中点５３２２ｃ）が陳列棚５００の最上部に設けられることで、陳列棚５００の最上部に陳列面５０２を形成可能としている。その他の具体的な構成（折り目５１０１、第一側面５１１１、第二側面５１１２、第一端部５１２３、第二端部５１２４、折り曲げ起点５１２５、第一折り曲げ線５１２６、第二折り曲げ線５１２７等）は、上述した実施形態と同様であるため、説明を省略する。尚、シート状部材５２００と、シート状部材５３００と、シート状部材５１００と、は原則として同一であるため、説明を省略する。
【００５７】
当該構成とすることにより、シート状部材（シート状部材５１００、シート状部材５２００及びシート状部材５３００）によって視界が遮られず、当該陳列面５０２に載置された物品の認識のし易さが向上する。
【００５８】
尚、本例においては、陳列面を陳列面５０２のみの構成としたが、陳列棚１００等と同様、陳列面の数は任意に変更可能である。例えば、陳列面５０２の下方に１又は２以上の陳列面を更に設けてもよい（この際の陳列面の構成は、陳列棚１００等と同様のものとすればよい）。
【００５９】
（陳列棚５００の用途）
本形態に係る陳列棚５００は、陳列棚１００と同様に使用することが可能である。尚、本形態に係る陳列面（陳列面５０２）の別の用途（陳列面としての用途以外の用途）としては、設置面５０３を陳列棚の足（脚部）として用いることが考えられる。より具体的には、本形態に係る陳列棚５００の陳列面の天地を逆転させて（六角錐状に形成された陳列面５０２において、陳列面が上に凸となる｛陳列面５０２を六角錐に見立てたときに、頂点側（例えば、折り曲げ起点５１２５）が上方となり底面側（第一縁部５１２２ａ、第二縁部５１２２ｂ、縁部中点５１２２ｃ、第一縁部５２２２ａ、第二縁部５２２２ｂ、縁部中点５２２２ｃ、第一縁部５３２２ａ、第二縁部５３２２ｂ、縁部中点５３２２ｃ）が下になる｝ように、別の陳列棚（例えば、陳列棚１００等）に組み込む、等としてもよい。このような構成とすることにより、陳列面５０２の縁部（第一縁部５１２２ａ、第二縁部５１２２ｂ、縁部中点５１２２ｃ、第一縁部５２２２ａ、第二縁部５２２２ｂ、縁部中点５２２２ｃ、第一縁部５３２２ａ、第二縁部５３２２ｂ、縁部中点５３２２ｃ）が地面に設置されるため、地面との接触面が増え、陳列棚の安定性が向上し得る。尚、このような構成は、後述の第七実施形態に例示される。
【００６０】
≪第六実施形態≫
次に、第六実施形態に係る陳列棚６００に関して説明する。第六実施形態は、第一実施形態と同一のシート状部材（シート状部材１１００、シート状部材１２００及びシート状部材１３００）を用いているが、第一実施形態における各シート状部材同士を当接させる際に、隔離シートを各シート状部材の間に挟んだ点で第一実施形態とは異なる。当該構成を有することにより、本実施形態に係る陳列棚６００は、強度が上昇すると共に、各シート状部材に設けられた陳列部が独立した陳列面になるという効果を奏する。
【００６１】
（陳列棚６００の構成）
図１２（ａ）は本実施形態に係る陳列棚６００の展開図（斜視図）であり、図１２（ｂ）は陳列棚６００（陳列面展開状態）の全体図（斜視図）である。図１２に示すように、陳列棚６００は、シート状部材６１００の第二側面６１１２と、シート状部材６２００の第一側面６２１１と、の間に挟まれた隔離シート６４００ａと、シート状部材６２００の第二側面６２１２と、シート状部材６３００の第一側面６３１１と、の間に挟まれた隔離シート６４００ｂと、シート状部材６３００の第二側面６３１２と、シート状部材６１００の第一側面６１１１と、の間に挟まれた隔離シート６４００ｃと、を有する。尚、本実施形態においては、シート状部材６１００は原則としてシート状部材１１００と同一であり、シート状部材６２００は原則としてシート状部材１２００と同一であり、シート状部材６３００は原則としてシート状部材１３００と同一であるため、その他の具体的な構成に関する説明を省略する。
【００６２】
このような構成とすることにより、陳列棚６００の強度が上昇すると共に、各シート状部材に設けられた陳列部（例えば、上陳列部６１２０及び上陳列部６２２０）を、夫々独立した陳列面（例えば、上陳列面６０２ａ及び上陳列面６０２ｂ）として機能させることも可能となる。
【００６３】
ここで、隔離シート（隔離シート６４００ａ、隔離シート６４００ｂ及び隔離シート６４００ｃ）は、各々どのような形状及び大きさであってもよい。例えば、各シート状部材と略同一のものとして、各シート状部材が完全に隔離されるように構成してもよいし、各シート状部材よりも小さい形状として、その一部が隔離されるように構成してもよい。
【００６４】
尚、隔離シートの材料としては、どのようなものであってもよく、例えばシート状部材と同様に可撓性材料（例えば、紙等）としてもよいし、可撓性を有しない材料（例えばプラスチック板、金属板、木板等）としてもよい。
【００６５】
≪第七実施形態≫
次に、図１３〜図１６を参照して、第七実施形態に係る陳列棚７００に関して説明する。図１３は本実施形態に係る陳列棚７００（陳列面展開状態）の全体図（斜視図）であり、図１４は当該陳列棚７００の上面図であり、図１５は当該陳列棚７００の正面図であり、図１６はシート状部材７１００の展開図である。第七実施形態は、上述した第一実施形態とは、第五実施形態と同様に、スリット等を設けず、陳列面を陳列棚の最上部に設けた（陳列棚の最上部の辺を陳列面の縁部とした）点と、当該陳列面の底部に開口部を設けた点と、当該開口部と連通した形で、棒状部材を挿入可能な支持空間を設けた点と、で異なる。このような構成とすることにより、当該支持空間に棒状の部材を挿入可能となり、陳列棚の用途が幅広いものとなる。更に、本実施形態に係る陳列棚７００は、第五実施形態で説明した陳列面（陳列面５０２）と同様の構成を陳列面の縁部が床への設置面となるように組み込み、陳列棚の設置安定性を高めている。
【００６６】
（陳列棚７００の構成）
図１３及び図１４に示すように、陳列棚７００は、シート状部材７１００、シート状部材７２００及びシート状部材７３００からなり、シート状部材７１００の折り目７１０１と、シート状部材７２００の折り目７２０１と、シート状部材７３００の折り目７３０１と、が折り目の山側で当接することで、平面視にて（水平断面が）略Ｙ字状に当接するよう構成されているという点で、第一実施形態と同様である。また、陳列棚７００には、物品を載置可能な陳列面であり、開口部７０２ａを有する陳列面７０２が設けられている（陳列面７０２は、頂点を下方に向けた中空の略六角錐状の頂点付近を切断して得られた形状であり、開口部７０２ａは切断された箇所に位置する）。更に、当該開口部７０２ａの下部には、棒状の部材等を挿入可能な、支持部７１４０の内部の空間である支持空間が形成される。更に、陳列棚７００の最下部には、陳列棚７００の設置安定性を高めるための、略六角錐状の設置面７０３が設けられている。その他の具体的な構成は、上述した実施形態と同様であるため、説明を省略する。
【００６７】
次に、陳列棚７００のより詳細な構成として、図１５及び図１６を参照して、シート状部材７１００について説明する。尚、シート状部材７１００と、シート状部材７２００と、シート状部材７３００と、は原則的に同一の部材であるため、シート状部材７２００及びシート状部材７３００の説明は省略する。
【００６８】
本実施形態に係るシート状部材７１００は、陳列面７０２を形成するための陳列部７１２０と、支持空間を形成するための支持部７１４０と、設置面７０３を形成するための設置部７１３０が設けられている。以下、その夫々に関して説明する。
【００６９】
先ず、シート状部材７１００の陳列部７１２０について説明する。シート状部材７１００において、谷折りされたシート状部材７１００の谷側の面を正面とし、設置面を下方とした際に、折り目７１０１を境界として、シート状部材７１００の、左側面を第一側面７１１１、右側面を第二側面７１１２とする。この際、陳列部７１２０は、第一側面７１１１に設けられた第一縁部７１２２ａ及び第二側面７１１２に設けられた第二縁部７１２２ｂと、第一側面７１１１に設けられた第一下縁部７１２５ａ及び第二側面７１１２に設けられた第二下縁部７１２５ｂと、第一側面７１１１に設けられた第一折り曲げ線７１２６と、第二側面７１１２に設けられた第二折り曲げ線７１２７と、で囲まれた台形状の部材である。陳列部７１２０は、より詳細には、第一上端部７１２３と縁部中点７１２２ｃと折り曲げ起点７１２５ｃと第一端部７１２８とを頂点とする台形状と、第二上端部７１２４と縁部中点１１２２ｃと折り曲げ起点７１２５と第二端部７１２９とを頂点とする台形状と、からなり、略六角錐頂点付近を切断して得られる形状である陳列面７０２の、２側面を成す。尚、第一縁部７１２２ａ及び第二縁部７１２２ｂは、連続して存在する縁部であり、陳列部の上方縁部（陳列面７０２の底辺の一部）を形成している。同様に、第一下縁部７１２５ａ及び第二下縁部７１２５ｂは、連続して存在する縁部であり、陳列部の下方縁部（略六角錐状から頂点付近を切断した陳列面７０２の切断面の辺の一部）を形成している。縁部中点７１２２ｃは、第一縁部７１２２ａと第二縁部７１２２ｂとが接続される箇所にある点であり、折り曲げ起点７１２５ｃは、第一下縁部７１２５ａと第二下縁部７１２５ｂとが接続される、折り目７１０１上にある仮想の点である。第一折り曲げ線７１２６（第二折り曲げ線７１２７）は、第一側面７１１１（第二側面７１１２）に存在する折り曲げ線であり、第一下縁部７１２５ａ（第二下縁部７１２５ｂ）の端部に設けられた第一端部７１２８（第二端部７１２９）と、第一縁部７１２２ａ（第二縁部７１２２ｂ）の端部である第一上端部７１２３（第二上端部７１２４）と、を結ぶように形成された折り曲げ線である。当該陳列部７１２０を折り目７１０１の谷側へ引き出すことで、陳列面７０２の側面が形成される。尚、陳列面７０２に関するその他の具体的な構成は、上述した実施形態と同様であるため、説明を省略する。
【００７０】
尚、本例では折り曲げ起点７１２５ｃのみを折り曲げ起点としている（即ち、ある一点のみを指すものとしている）が、第一下縁部７１２５ａ、第二下縁部７１２５ｂ、折り曲げ起点７１２５ｃを含めた部分（下縁部）を折り曲げ起点としてもよい（即ち、折り曲げ起点は、第一折り曲げ線７１２６及び第二折り曲げ線７１２７の端部としての性質を有すればよいため、折り目７１０１と交差するように設けられた線分であってもよい）。
【００７１】
次に、シート状部材７１００の支持部７１４０について説明する。支持部７１４０は、第一側面７１１１に設けられた第一頂辺部７１４１ａ及び第二側面７１１２に設けられた第二頂辺部７１４１ｂと、第一側面７１１１に設けられた第一底辺部７１４４ａ及び第二側面７１１２に設けられた第二底辺部７１４４ｂと、第一側面７１１１に設けられた第一支持部折り曲げ線７１４７と、第二側面７１１２に設けられた第二支持部折り曲げ線７１４８と、で囲まれた四角形状の部材である。支持部７１４０は、より詳細には、第一下端部７１４５と第一端部７１２８と頂辺部中点７１４１ｃと底辺部中点７１４４ｃとを頂点とする四角形状と、第二下端部７１４６と第二端部７１２９と頂辺部中点７１４１ｃと底辺部中点７１４４ｃと、を頂点とする四角形状と、から形成される。
【００７２】
シート状部材７１００において支持部７１４０を折り目７１０１の谷側へ引き出すことで、支持部７１４０がシート状部材７１００（第一側面７１１１及び第二側面７１１２）に対して略筒状に盛り上がり、内部に棒状部材を挿入可能な空間が形成される。尚、シート状部材７２００及びシート状部材７３００においても、支持部７１４０と同様の支持部が形成されており、シート状部材７２００の支持部及びシート状部材７３００においても同様に支持部を引き出すことで、３つの支持部で囲まれた内部空間（棒状部材を挿入可能な支持空間）が形成される。
【００７３】
尚、本実施形態においては、支持部７１４０を四角形状としているが、これには何ら限定されず、その形状及び各部の大きさは、使用目的等に合わせて適宜自由に設定可能である。
【００７４】
次に、シート状部材７１００の設置部７１３０について説明する。設置部７１３０の構成としては、第５実施形態に係る陳列棚５００の陳列面５０２の構成と略同一である。より具体的には、シート状部材７１００は、折り目５１０１に対応する折り目７１０１、第一側面５１１１に対応する第一側面７１１１、第二側面５１１２に対応する第二側面７１１２、第一縁部５１２２ａに対応する第一縁部７１３２ａ、第二縁部５１２２ｂに対応する第二縁部７１３２ｂ、縁部中点５１２２ｃに対応する縁部中点７１３２ｃ、第一端部５１２３に対応する、第一端部７１３３、第二端部５１２４に対応する、第二端部７１３４、折り曲げ起点５１２５に対応する折り曲げ起点７１３５、第一折り曲げ線５１２６に対応する第一折り曲げ線７１３６、第二折り曲げ線５１２７に対応する第二折り曲げ線７１３７、を有する。
【００７５】
ここで、陳列部７１２０における第一下縁部７１２５ａ及び第二下縁部７１２５ｂと、支持部７１４０における第一頂辺部７１４１ａ及び第二頂辺部７１４１ｂと、は隣接して設けられている。より具体的には、シート状部材７１００設けられた切れ込みの、上側の縁が第一下縁部７１２５ａ及び第二下縁部７１２５ｂであり、下側の縁が第一頂辺部７１４１ａ及び第二頂辺部７１４１ｂである（従って、本実施形態においては、第一端部７１２８は、第一頂辺部７１４１ａ及び第一下縁部７１２５ａの両方の端部となり、第二端部７１２９は、第二頂辺部７１４１ｂ及び第二下縁部７１２５ｂの両方の端部となる）。このような構成としているため、陳列面７０２の開口部７０２ａ（第一下縁部７１２５ａ及び第二下縁部７１２５ｂを縁とする開口部）と、支持部７１４０（支持空間）の開口部（第一頂辺部７１４１ａ及び第二頂辺部７１４１ｂを縁とする、支持空間の入り口）と、において、棒状部材等が連通可能となる。しかしながら、これには限定されず、例えば、四角形状のスリットを設けて、当該スリットの一方の辺として第一下縁部７１２５ａ及び第二下縁部７１２５ｂを設ける、当該一方の辺と対向する辺として第一頂辺部７１４１ａ及び第二頂辺部７１４１ｂを設ける、等としてもよい（この場合にも、陳列面７０２と支持部空間において、棒状部材等が連通可能となる）。尚、その他の具体的な構成は、上述した実施形態と同様であるため、説明を省略する。
【００７６】
本形態に係るシート状部材７１００においては、陳列部７１２０における縁部中点７１２２ｃ（設置部７１３０における縁部中点７１３２ｃ）が、第一上端部７１２３及び第二上端部７１２４（第一端部７１３３及び第二端部７１３４）よりも外側に凸となる形状としている。これは、前述のように、陳列面７０２の縁部及び設置面７０３の縁部を、水平（接地面に対して平行）とするための形状である。
【００７７】
（陳列棚７００の用途）
本実施形態に係る陳列棚７００は、通常の陳列棚（例えば陳列棚１００等）と同様に使用することも可能である。更に、本実施形態に係る陳列棚７００によれば、陳列面７０２及び陳列面と同様の構成を有する設置面７０３を設けたものであるため、陳列棚７００の天地を逆転させ、設置面７０３を陳列面として用い、陳列面７０２を設置面として用いる、という使い方も可能である。
【００７８】
更には、本実施形態に係る陳列棚７００によれば、特定の開口部７０２ａ及び支持空間（支持部７１４０の内側の空間）を有することで、その他の陳列棚とは異なる、特徴的な用途に用いることもできる。次に、図１７及び図１８を参照しながら、本実施形態に係る陳列棚７００の特徴的な用途に関して説明する。
【００７９】
図１７は、陳列棚７００において、陳列面７０２及び支持空間（支持部７１４０の内側の空間）を通るように、棒状部材７５００を設けた状態を示す。本実施形態に係る陳列棚７００は、陳列面７０２の底面に開口部（図１４に示す開口部７０２ａ）が存在するため、棒状部材７５００を陳列棚７００の内部に挿入可能であり、更に支持部７１４０の内側の空間にて棒状部材７５００が安定的に保持される。本実施形態に係る陳列棚７００によれば、棒状部材７５００に、広告用のパネル等を設置したり、増設用の陳列面（陳列棚）を設置する等して、陳列棚としての用途を広げることが可能である。また、当該棒状部材７５００により、陳列棚７００全体の強度が向上する。
【００８０】
更に、図１８は、棒状部材７５００が挿入された陳列棚７００に、更に棒状部材７５００を通す穴を設けたテーブル部材７５０１を組み込んだ状態を示す。このように、本実施形態に係る陳列棚７００によれば、シート状部材７１００、シート状部材７２００及びシート状部材７３００｛特には、陳列面７０２の縁部（第一縁部７１２２ａ、第二縁部７１２２ｂ、第一縁部７２２２ａ、第二縁部７２２２ｂ、第一縁部７３２２ａ及び第二縁部７３２２ｂ）｝が下方からテーブル部材７５０１を支持し、棒状部材７５００がテーブル部材７５０１の位置（水平方向位置）を固定するため、安定的に使用することが出来るのである｛尚、説明は省略するが、シート状部材７２００上に設けられた第一縁部７２２２ａ及び第二縁部７２２２ｂ（シート状部材７３００上に設けられた第一縁部７３２２ａ及び第二縁部７３２２ｂ）は、シート状部材７１００における第一縁部７１２２ａ及び第二縁部７１２２ｂに対応する｝。また、設置面（設置面７０３）によって設置安定性を高めているため、当該テーブル上に重い物を載置することも可能である。
【００８１】
尚、本実施形態に係る陳列棚７００においては、設置面７０３の頂点部に開口部を設けず、設置面７０３の上部に存在する部材により、棒状部材７５００が係止されるものとしているが、これには限定されず、設置面７０３の頂点部に、陳列面７０２と同様に開口部を設け、更に支持空間を当該設置面７０３に隣接するまで延伸してもよい（この場合、棒状部材７５００が陳列棚７００を貫通することとなる）。尚、本図においては棒状部材７５００がテーブル部材７５０１を貫通するように設けられているが、これには限定されず、棒状部材７５００はテーブル部材７５０１を貫通しないようにしてもよい（例えばテーブル部材７５０１に凹部を設け、当該凹部に棒状部材７５００を嵌め込む等の手段によってテーブル部材７５０１を固定する、等としてもよい）。
【符号の説明】
【００８２】
１００、２００、３００、４００、５００、６００  陳列棚
１０２、２０２、３０２、４０２、５０２、６０２ａ、６０２ｂ  上陳列面
１０３、２０３、３０３、６０３ａ、６０３ｂ  下陳列面
１１００、１２００、１３００、２１００、２２００、２３００、３１００、３２００、４１００、４２００、５１００、５２００、５３００、６１００、６２００  シート状部材
１１０１、１２０１、１３０１、２１０１、２１０２、２１０３、２２０１、２３０１、３１０１、３２０１、４１０１、４２０１、５１０１、６１０１  折り目
１１１１、１２１１、１３１１、３１１１、３２１１、４１１１、５１１１、６１１１  第一側面
１１１２、１２１２、１３１２、３１１２、３２１２、４１１２、５１１２、６１１２  第二側面
１１２０、１２２０、１３２０、２１２０、２１２０、２２２０、２３２０、３１２０、６１２０、６２２０  上陳列部
１１３０、１２３０、１３３０、２１３０、２２３０、２３３０、６１３０、６２３０  下陳列部
１１２２ａ、１２２２ａ、１３２２ａ、２１２２ａ、３１２２ａ、３２２２ａ、４１２２ａ、５１２２ａ、５２２２ａ、５３２２ａ  第一縁部
１１２２ｂ、１２２２ｂ、１３２２ｂ、２１２２ｂ、３１２２ｂ、３２２２ｂ、４１２２ｂ、５１２２ｂ、５２２２ｂ、５３２２ｂ  第二縁部
１１２３、１２２３、１３２３、２１２３、３２２３、４１２３、５１２３  第一端部
１１２４、１２２４、１３２４、２１２４、３２２４、４１２４、５１２４  第二端部
１１２５、２１２５、３２２５、４１２５、５１２５  折り曲げ起点
１１２６、２１２６、３２２６、４１２６、５１２６  第一折り曲げ線
１１２７、２１２７、３２２７、４１２７、５１２７  第二折り曲げ線
２１１１、２１１２、２２１１、２２１２、２３１１、２３１２  側面
３３００、４２００  背面部材
４０２、５０２  陳列面
４１２０、５１２０、５２２０、５３２０  陳列部
６４００ａ、６４００ｂ、６４００ｃ  隔離シート
７００  陳列棚
７０２  陳列面
７０２ａ  開口部
７０３  設置面
７１００、７２００、７３００  シート状部材
７１０１、７２０１、７３０１  折り目
７１１１  第一側面
７１１２  第二側面
７１２０  陳列部
７１２２ａ、７１３２ａ、７２２２ａ、７３２２ａ  第一縁部
７１２２ｂ、７１３２ｂ、７２２２ｂ、７３２２ｂ  第二縁部
７１２３、７１２８  第一上端部
７１２４、７１２９  第二上端部
７１２５ａ  第一下縁部
７１２５ｂ  第二下縁部
７１２５ｃ、７１３５  折り曲げ起点
７１２６、７１３６  第一折り曲げ線
７１２７、７１３７  第二折り曲げ線
７１３３  第一下端部
７１３４  第二下端部
７１４０  支持部
７１４１ａ  第一頂辺部
７１４１ｂ  第二頂辺部
７１４４ａ  第一底辺部
７１４４ｂ  第二底辺部
７１４５  第一下端部
７１４６  第二下端部
７１４７  第一支持部折り曲げ線
７１４８  第二支持部折り曲げ線
７５００  棒状部材
７５０１  テーブル部材
【図１】
2015150187.tif 000003
【図２】
2015150187.tif 000004
【図３】
2015150187.tif 000005
【図４】
2015150187.tif 000006
【図５】
2015150187.tif 000007
【図６】
2015150187.tif 000008
【図７】
2015150187.tif 000009
【図８】
2015150187.tif 000010
【図９】
2015150187.tif 000011
【図１０】
2015150187.tif 000012
【図１１】
2015150187.tif 000013
【図１２】
2015150187.tif 000014
【図１３】
2015150187.tif 000015
【図１４】
2015150187.tif 000016
【図１５】
2015150187.tif 000017
【図１６】
2015150187.tif 000018
【図１７】
2015150187.tif 000019
【図１８】
2015150187.tif 000020
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
折り目に沿って折り曲げられた３つ以上のシート状部材が、前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記３つ以上のシート状部材は、隣り合う２つの前記シート状部材のうちの一方のシート状部材の前記一つの面と他方のシート状部材の前記一つの面とが向き合うように配置されており、
前記少なくとも１つのシート状部材は、
前記第一の面及び前記第二の面に跨り存在するように設けられた縁部と、
前記第一の面に存在する折り曲げ線であって、折り曲げ起点と前記縁部の端点とを結ぶ第一折り曲げ線と、
前記第二の面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚。
【請求項２】
２つ以上の前記シート状部材が、前記陳列部を有する陳列棚であって、
複数の前記陳列部によって一つの陳列面を形成可能である、請求項１に記載の陳列棚。
【請求項３】
背面部材と、２つ以上のシート状部材と、を有し、
折り目に沿って折り曲げられた前記シート状部材が、前記シート状部材の前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面を有し、
前記背面部材は、前記２つ以上のシート状部材の中から任意に選択された互いに隣り合う第一及び第二のシート状部材のうち、前記第一のシート状部材の前記折り目の山側の一つの面および前記第二のシート状部材の前記折り目の山側の一つの面と、少なくともその一部がつながるように配置され、
前記２つ以上のシート状部材が有する前記第一の面及び前記第二の面のうち、前記背面部材につながっていない面に関して、隣り合う２つの前記シート状部材のうちの一方のシート状部材の面と他方のシート状部材の面とが向き合うように配置され、
前記少なくとも１つのシート状部材は、
前記第一の面及び前記第二の面に跨り存在するように設けられた縁部と、
前記第一の面に存在する折り曲げ線であって、折り曲げ起点と前記縁部とを結ぶ第一折り曲げ線と、
前記第二の面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚。
【請求項４】
２つ以上の前記シート状部材が、前記陳列部を有する陳列棚であって、
複数の前記陳列部によって一つの陳列面を形成可能である、請求項３に記載の陳列棚。
【請求項５】
折り目に沿って折り曲げられた、一のシート状部材と別のシート状部材とに関して、前記一のシート状部材の前記折り目の山側と、前記別のシート状部材の前記折り目の谷側と、が向き合うように配置され、前記一のシート状部材の前記折り目の谷側に陳列面を有する、折り畳み及び展開可能な陳列棚であって、
前記一のシート状部材は、
前記折り目に対して一側に位置する第一の面と、前記折り目に対して他側に位置する第二の面とを有し、
前記第一の面及び前記第二の面に跨り存在するように設けられた縁部と、
前記第一面に存在する折り曲げ線であって、折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、折り畳み及び展開可能な陳列棚。
【請求項６】
シート状部材が折り目に沿って折り曲げられることで形成された、前記折り目に対して一側に位置する第一の面と、前記折り目に対して他側に位置する第二の面と、からなる面の組みを有するシート状折り曲げ面を少なくとも３つ以上有し、
３つ以上の前記シート状折り曲げ面は、前記折り目の山側同士が互いに向き合うように配置されており、
少なくとも１つの前記シート状折り曲げ面において、前記折り目の谷側に陳列面を有する折り畳み及び展開可能な陳列棚であって、
前記３つ以上のシート状折り曲げ面は、隣り合う２つの前記シート状折り曲げ面のうちの一方のシート状折り曲げ面の前記一つの面と他方のシート状折り曲げ面の前記一つの面とが互いに向き合うように配置され、
前記少なくとも１つのシート状折り曲げ面は、
前記第一面及び前記第二面に跨り存在するように設けられた縁部と、
前記第一面に存在する折り曲げ線であって、折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚。
【請求項７】
背面部材と、
シート状部材が折り目に沿って折り曲げられることで形成された、前記折り目に対して一側に位置する第一の面と、前記折り目に対して他側に位置する第二の面と、からなる面の組みを有するシート状折り曲げ面を少なくとも２つ以上有し、
前記折り目に沿って折り曲げられた前記シート状折り曲げ面が、前記折り目の山側同士が向き合うように配置され、少なくとも１つの前記シート状折り曲げ面の前記折り目の谷側に陳列面を有する、折り畳み及び展開可能な陳列棚であって、
前記背面部材は、前記２つ以上のシート状折り曲げ面の中から任意に選択された互いに隣り合う第一及び第二のシート状折り曲げ面のうち、前記第一のシート状折り曲げ面の前記折り目の山側の一つの面と、前記第二のシート状折り曲げ面の前記折り目の山側の一つの面と、少なくともその一部がつながるように配置され、
前記２つ以上のシート状折り曲げ面が有する前記第一の面及び前記第二の面のうち、前記背面部材につながっていない面に関して、隣り合う２つの前記シート状折り曲げ面のうちの一方のシート状折り曲げ面の一つの面と他方のシート状折り曲げ面の一つの面とが向き合うように配置され、
前記少なくとも１つのシート状折り曲げ面は、
前記第一面及び前記第二面に跨り存在するように設けられた縁部と、
前記第一面に存在する折り曲げ線であって、折り曲げ起点と前記縁部とを結ぶ第一折り曲げ線と、
前記第二面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚。
【請求項８】
シート状部材が折り目に沿って折り曲げられることで形成された、前記折り目に対して一側に位置する第一の面と、前記折り目に対して他側に位置する第二の面と、からなる面の組みを有するシート状折り曲げ面を２つ有し、
一の前記シート状折り曲げ面と別の前記シート状折り曲げ面とに関して、前記一のシート状折り曲げ面の前記折り目の山側と、前記別のシート状折り曲げ面の前記折り目の谷側と、が向き合うように配置され、前記一のシート状折り曲げ面の前記折り目の谷側に陳列面を有する、折り畳み及び展開可能な陳列棚であって、
前記一のシート状折り曲げ面は、
前記折り目に対して一側に位置する第一の面と、前記折り目に対して他側に位置する第二の面とを有し、
前記第一の面及び前記第二の面に跨り存在するように設けられた縁部と、
前記第一の面に存在する折り曲げ線であって、折り曲げ起点と前記縁部の端点とを結ぶ第一折り曲げ線と、
前記第二の面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、折り畳み及び展開可能な陳列棚。
【請求項９】
全ての前記シート状折り曲げ面が、一つのシート状部材を折り曲げることで一体的に形成されている、請求項６〜８の何れか一項に記載の陳列棚。
【請求項１０】
折り目に沿って折り曲げられた、一のシート状部材と別のシート状部材とに関して、前記折り目の山側が向き合うように配置され、少なくとも一の前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記シート状部材は、隣り合う２つの前記シート状部材のうちの一のシート状部材の前記一つの面と別のシート状部材の前記一つの面とが向きあうように配置され、
前記少なくとも一のシート状部材は、
前記第一の面及び前記第二の面に跨り存在するように設けられた縁部と、
前記第一の面に存在する折り曲げ線であって、折り曲げ起点と前記縁部の端点とを結ぶ第一折り曲げ線と、
前記第二の面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚。
【請求項１１】
前記折り曲げ起点が、前記折り目上に存在することを特徴とする、請求項１〜１０のいずれか一項に記載の陳列棚。
【請求項１２】
前記折り曲げ起点が、前記第一の面と第二の面を跨がる線分であることを特徴とする、請求項１〜１０のいずれか一項に記載の陳列棚。
【請求項１３】
折り目に沿って折り曲げられた３つ以上のシート状部材が、前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記３つ以上のシート状部材は、隣り合う２つの前記シート状部材のうちの一方のシート状部材の前記第一の面と他方のシート状部材の前記第二の面とが向き合うように配置されており、
前記少なくとも１つのシート状部材は、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚。
【請求項１４】
背面部材と、２つ以上のシート状部材と、を有し、
折り目に沿って折り曲げられた前記シート状部材が、前記シート状部材の前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面を有し、
前記背面部材は、前記２つ以上のシート状部材の中から任意に選択された互いに隣り合う第一及び第二のシート状部材のうち、前記第一のシート状部材の前記折り目の山側の一つの面および前記第二のシート状部材の前記折り目の山側の一つの面と、少なくともその一部がつながるように配置され
前記２つ以上のシート状部材が有する前記第一の面及び前記第二の面のうち、前記背面部材につながっていない面に関して、隣り合う２つの前記シート状部材のうちの一方のシート状部材の面と他方のシート状部材の面とが向き合うように配置され、
前記少なくとも１つのシート状部材は、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚。
【請求項１５】
折り目に沿って折り曲げられた、一のシート状部材と別のシート状部材とに関して、前記一のシート状部材の前記折り目の山側と、前記別のシート状部材の前記折り目の谷側と、が向き合うように配置され、前記一のシート状部材の前記折り目の谷側に陳列面を有する、折り畳み及び展開可能な陳列棚であって、
前記一のシート状部材は、
前記折り目に対して一側に位置する第一の面と、前記折り目に対して他側に位置する第二の面とを有し、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、折り畳み及び展開可能な陳列棚。
【請求項１６】
折り目に沿って折り曲げられた、一のシート状部材と別のシート状部材とに関して、前記折り目の山側が向き合うように配置され、少なくとも一の前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記シート状部材は、隣り合う２つの前記シート状部材のうちの一のシート状部材の前記第一の面と別のシート状部材の前記第二の面とが向き合うように配置され、
前記少なくとも一のシート状部材は、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚。
【請求項１７】
前記陳列面の底部に設けられた開口部と、
前記開口部を挿通する棒状部材と、
前記棒状部材が挿入され、当該挿入された棒状部材を支持する支持空間と、を更に有し、
前記開口部と前記支持空間とは、前記棒状部材が連通可能となっており、
前記折り曲げ起点又は前記下縁部に隣接するように設けられた頂辺部と、
前記頂辺部からみて前記折り曲げ起点又は前記下縁部とは異なる側に設けられた底辺部と、
前記第一面に存在する折り曲げ線であって、前記頂辺部の端点と、前記底辺部の端点と、を結ぶ第一支持部折り曲げ線と、
前記第二面に存在する折り曲げ線であって、前記頂辺部の端点と、前記底辺部の端点と、を結ぶ第二支持部折り曲げ線と、
で囲まれる支持部を有し、
前記支持部を前記折り目の谷側へ引き出すように前記第一支持部折り曲げ線及び前記第二支持部折り曲げ線に沿って前記第一面及び前記第二面を折り曲げることにより、前記支持空間を形成可能である
ことを特徴とする、請求項１２、１３、１４、１５のいずれか一項に記載の陳列棚。
の陳列棚。
【請求項１８】
隣り合う２つの前記シート状部材の互いに向き合う面の間にシート状の別部材を介在させることを特徴とする、請求項１、３、１０、１３、１４、１６のいずれか一項に記載の陳列棚。
【手続補正２】
【補正対象書類名】明細書
【補正対象項目名】０００９
【補正方法】変更
【補正の内容】
【０００９】
具体的には、本発明に係る陳列棚は、下記（１）〜（１８）の構成を有するものである。
本発明の（１）は、折り目に沿って折り曲げられた３つ以上のシート状部材が、前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記３つ以上のシート状部材は、隣り合う２つの前記シート状部材のうちの一方のシート状部材の前記一つの面と他方のシート状部材の前記一つの面とが向き合うように配置されており、
前記少なくとも１つのシート状部材は、
前記第一の面及び前記第二の面に跨り存在するように設けられた縁部と、
前記第一の面に存在する折り曲げ線であって、折り曲げ起点と前記縁部の端点とを結ぶ第一折り曲げ線と、
前記第二の面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚である。
本発明の（２）は、２つ以上の前記シート状部材が、前記陳列部を有する陳列棚であって、複数の前記陳列部によって一つの陳列面を形成可能である、前記（１）の陳列棚である。
本発明の（３）は、背面部材と、２つ以上のシート状部材と、を有し、
折り目に沿って折り曲げられた前記シート状部材が、前記シート状部材の前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面を有し、
前記背面部材は、前記２つ以上のシート状部材の中から任意に選択された互いに隣り合う第一及び第二のシート状部材のうち、前記第一のシート状部材の前記折り目の山側の一つの面および前記第二のシート状部材の前記折り目の山側の一つの面と、少なくともその一部がつながるように配置され、
前記２つ以上のシート状部材が有する前記第一の面及び前記第二の面のうち、前記背面部材につながっていない面に関して、隣り合う２つの前記シート状部材のうちの一方のシート状部材の面と他方のシート状部材の面とが向き合うように配置され、
前記少なくとも１つのシート状部材は、
前記第一の面及び前記第二の面に跨り存在するように設けられた縁部と、
前記第一の面に存在する折り曲げ線であって、折り曲げ起点と前記縁部とを結ぶ第一折り曲げ線と、
前記第二の面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚である。
本発明の（４）は、２つ以上の前記シート状部材が、前記陳列部を有する陳列棚であって、複数の前記陳列部によって一つの陳列面を形成可能である、前記（３）の陳列棚である。
本発明の（５）は、折り目に沿って折り曲げられた、一のシート状部材と別のシート状部材とに関して、前記一のシート状部材の前記折り目の山側と、前記別のシート状部材の前記折り目の谷側と、が向き合うように配置され、前記一のシート状部材の前記折り目の谷側に陳列面を有する、折り畳み及び展開可能な陳列棚であって、
前記一のシート状部材は、
前記折り目に対して一側に位置する第一の面と、前記折り目に対して他側に位置する第二の面とを有し、
前記第一の面及び前記第二の面に跨り存在するように設けられた縁部と、
前記第一面に存在する折り曲げ線であって、折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、折り畳み及び展開可能な陳列棚である。
本発明の（６）は、シート状部材が折り目に沿って折り曲げられることで形成された、前記折り目に対して一側に位置する第一の面と、前記折り目に対して他側に位置する第二の面と、からなる面の組みを有するシート状折り曲げ面を少なくとも３つ以上有し、
３つ以上の前記シート状折り曲げ面は、前記折り目の山側同士が互いに向き合うように配置されており、
少なくとも１つの前記シート状折り曲げ面において、前記折り目の谷側に陳列面を有する折り畳み及び展開可能な陳列棚であって、
前記３つ以上のシート状折り曲げ面は、隣り合う２つの前記シート状折り曲げ面のうちの一方のシート状折り曲げ面の前記一つの面と他方のシート状折り曲げ面の前記一つの面とが互いに向き合うように配置され、
前記少なくとも１つのシート状折り曲げ面は、
前記第一面及び前記第二面に跨り存在するように設けられた縁部と、
前記第一面に存在する折り曲げ線であって、折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
本発明の（７）は、背面部材と、
シート状部材が折り目に沿って折り曲げられることで形成された、前記折り目に対して一側に位置する第一の面と、前記折り目に対して他側に位置する第二の面と、からなる面の組みを有するシート状折り曲げ面を少なくとも２つ以上有し、
前記折り目に沿って折り曲げられた前記シート状折り曲げ面が、前記折り目の山側同士が向き合うように配置され、少なくとも１つの前記シート状折り曲げ面の前記折り目の谷側に陳列面を有する、折り畳み及び展開可能な陳列棚であって、
前記背面部材は、前記２つ以上のシート状折り曲げ面の中から任意に選択された互いに隣り合う第一及び第二のシート状折り曲げ面のうち、前記第一のシート状折り曲げ面の前記折り目の山側の一つの面と、前記第二のシート状折り曲げ面の前記折り目の山側の一つの面と、少なくともその一部がつながるように配置され、
前記２つ以上のシート状折り曲げ面が有する前記第一の面及び前記第二の面のうち、前記背面部材につながっていない面に関して、隣り合う２つの前記シート状折り曲げ面のうちの一方のシート状折り曲げ面の一つの面と他方のシート状折り曲げ面の一つの面とが向き合うように配置され、
前記少なくとも１つのシート状折り曲げ面は、
前記第一面及び前記第二面に跨り存在するように設けられた縁部と、
前記第一面に存在する折り曲げ線であって、折り曲げ起点と前記縁部とを結ぶ第一折り曲げ線と、
前記第二面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
本発明の（８）は、シート状部材が折り目に沿って折り曲げられることで形成された、前記折り目に対して一側に位置する第一の面と、前記折り目に対して他側に位置する第二の面と、からなる面の組みを有するシート状折り曲げ面を２つ有し、
一の前記シート状折り曲げ面と別の前記シート状折り曲げ面とに関して、前記一のシート状折り曲げ面の前記折り目の山側と、前記別のシート状折り曲げ面の前記折り目の谷側と、が向き合うように配置され、前記一のシート状折り曲げ面の前記折り目の谷側に陳列面を有する、折り畳み及び展開可能な陳列棚であって、
前記一のシート状折り曲げ面は、
前記折り目に対して一側に位置する第一の面と、前記折り目に対して他側に位置する第二の面とを有し、
前記第一の面及び前記第二の面に跨り存在するように設けられた縁部と、
前記第一の面に存在する折り曲げ線であって、折り曲げ起点と前記縁部の端点とを結ぶ第一折り曲げ線と、
前記第二の面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、折り畳み及び展開可能な陳列棚である。
本発明の（９）は、全ての前記シート状折り曲げ面が、一つのシート状部材を折り曲げることで一体的に形成されている、前記（６）〜（８）の何れか一項の陳列棚である。
本発明の（１０）は、折り目に沿って折り曲げられた、一のシート状部材と別のシート状部材とに関して、前記折り目の山側が向き合うように配置され、少なくとも一の前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記シート状部材は、隣り合う２つの前記シート状部材のうちの一のシート状部材の前記一つの面と別のシート状部材の前記一つの面とが向きあうように配置され、
前記少なくとも一のシート状部材は、
前記第一の面及び前記第二の面に跨り存在するように設けられた縁部と、
前記第一の面に存在する折り曲げ線であって、折り曲げ起点と前記縁部の端点とを結ぶ第一折り曲げ線と、
前記第二の面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
本発明の（１１）は、前記折り曲げ起点が、前記折り目上に存在することを特徴とする、前記（１）〜（１０）のいずれか一項の陳列棚である。
本発明の（１２）は、前記折り曲げ起点が、前記第一の面と第二の面を跨がる線分であることを特徴とする、前記（１）〜（１０）のいずれか一項の陳列棚である。
本発明の（１３）は、折り目に沿って折り曲げられた３つ以上のシート状部材が、前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記３つ以上のシート状部材は、隣り合う２つの前記シート状部材のうちの一方のシート状部材の前記第一の面と他方のシート状部材の前記第二の面とが向き合うように配置されており、
前記少なくとも１つのシート状部材は、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚である。
本発明の（１４）は、背面部材と、２つ以上のシート状部材と、を有し、
折り目に沿って折り曲げられた前記シート状部材が、前記シート状部材の前記折り目の山側同士が向き合うように配置され、少なくとも１つの前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面を有し、
前記背面部材は、前記２つ以上のシート状部材の中から任意に選択された互いに隣り合う第一及び第二のシート状部材のうち、前記第一のシート状部材の前記折り目の山側の一つの面および前記第二のシート状部材の前記折り目の山側の一つの面と、少なくともその一部がつながるように配置され
前記２つ以上のシート状部材が有する前記第一の面及び前記第二の面のうち、前記背面部材につながっていない面に関して、隣り合う２つの前記シート状部材のうちの一方のシート状部材の面と他方のシート状部材の面とが向き合うように配置され、
前記少なくとも１つのシート状部材は、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、陳列棚である。
本発明の（１５）は、折り目に沿って折り曲げられた、一のシート状部材と別のシート状部材とに関して、前記一のシート状部材の前記折り目の山側と、前記別のシート状部材の前記折り目の谷側と、が向き合うように配置され、前記一のシート状部材の前記折り目の谷側に陳列面を有する、折り畳み及び展開可能な陳列棚であって、
前記一のシート状部材は、
前記折り目に対して一側に位置する第一の面と、前記折り目に対して他側に位置する第二の面とを有し、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一の面及び前記第二の面を折り曲げることにより、前記陳列面を形成可能である
ことを特徴とする、折り畳み及び展開可能な陳列棚である。
本発明の（１６）は、折り目に沿って折り曲げられた、一のシート状部材と別のシート状部材とに関して、前記折り目の山側が向き合うように配置され、少なくとも一の前記シート状部材の前記折り目の谷側に陳列面を有する、折り畳み及び展開可能な陳列棚であって、
前記シート状部材は、前記折り目に対して一側に位置する第一の面と、前記折り目に対して他側に位置する第二の面とを有し、
前記シート状部材は、隣り合う２つの前記シート状部材のうちの一のシート状部材の前記第一の面と別のシート状部材の前記第二の面とが向き合うように配置され、
前記少なくとも一のシート状部材は、
前記第一の面及び前記第二の面に跨り存在するように設けられた上縁部と、
前記第一の面及び前記第二の面に跨り存在するように設けられた下縁部と、
前記第一の面に存在する折り曲げ線であって、前記上縁部の端点と前記下縁部とを結ぶ第一折り曲げ線と、
前記第二の面に存在する折り曲げ線であって、前記上縁部の端点と前記下縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
本発明の（１７）は、前記陳列面の底部に設けられた開口部と、
前記開口部を挿通する棒状部材と、
前記棒状部材が挿入され、当該挿入された棒状部材を支持する支持空間と、を更に有し、
前記開口部と前記支持空間とは、前記棒状部材が連通可能となっており、
前記折り曲げ起点又は前記下縁部に隣接するように設けられた頂辺部と、
前記頂辺部からみて前記折り曲げ起点又は前記下縁部とは異なる側に設けられた底辺部と、
前記第一面に存在する折り曲げ線であって、前記頂辺部の端点と、前記底辺部の端点と、を結ぶ第一支持部折り曲げ線と、
前記第二面に存在する折り曲げ線であって、前記頂辺部の端点と、前記底辺部の端点と、を結ぶ第二支持部折り曲げ線と、
で囲まれる支持部を有し、
前記支持部を前記折り目の谷側へ引き出すように前記第一支持部折り曲げ線及び前記第二支持部折り曲げ線に沿って前記第一面及び前記第二面を折り曲げることにより、前記支持空間を形成可能である
ことを特徴とする、前記（１２）、（１３）、（１４）、（１５）のいずれか一項の陳列棚である。
の陳列棚。
本発明の（１８）は、隣り合う２つの前記シート状部材の互いに向き合う面の間にシート状の別部材を介在させることを特徴とする、請求項１、３、１０、１３、１４、１６のいずれか一項に記載の陳列棚である。
＜付記＞
尚、本発明とは異なる別態様について以下に列記しておくが、これらには何ら限定されることなく実施することが可能である。
本別態様の（１）は、折り目に沿って折り曲げられた３つ以上のシート状部材が、前記折り目の山側同士が当接するように配置され、少なくとも１つの前記シート状部材の前記折り目の谷側に陳列面を有する、折り畳み及び展開可能な陳列棚であって、
前記シート状部材は、前記折り目に対して一側に位置する第一面と、前記折り目に対して他側に位置する第二面とを有し、
前記３つ以上のシート状部材は、隣り合う２つの前記シート状部材のうちの一方のシート状部材の前記第一面と他方のシート状部材の前記第二面とが当接するように重ね合わされ、
前記少なくとも１つのシート状部材は、
前記第一面及び前記第二面に跨り存在するように設けられた縁部と、 
前記第一面に存在する折り曲げ線であって、前記折り目上に存在する折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
ここで、ある部材と別の部材とが当接するとは、これら部材が直接的に接触している状態のみならず、当該ある部材と当該別の部材とが直接的に接触されていない状態（例えば、当該部材間に別の部材が挿入される等して、間接的に固着されている状態等）も含む。
本別態様の（２）は、２つ以上の前記シート状部材が、前記陳列部を有する陳列棚であって、
複数の前記陳列部によって一つの陳列面を形成可能である、前記別態様（１）の陳列棚である。
本別態様の（３）は、板状の背面部材と、２つ以上のシート状部材と、を有し、
折り目に沿って折り曲げられた前記シート状部材が、前記シート状部材の前記折り目の山側同士が当接するとともに、全ての前記シート状部材の前記折り目の山側が前記背面部材と当接するように配置され、少なくとも１つの前記シート状部材の前記折り目の谷側に陳列面を有する、折り畳み及び展開可能な陳列棚であって、
前記シート状部材は、前記折り目に対して一側に位置する第一面と、前記折り目に対して他側に位置する第二面を有し、
前記背面部材は、前記２つ以上のシート状部材の中から任意に選択された互いに隣接する第一及び第二のシート状部材のうち、前記第一のシート状部材の第一面と、前記第二のシート状部材の第二面と当接するように重ね合され、
前記２つ以上のシート状部材が有する前記第一面及び前記第二面のうち、前記背面部材に当接していない第一面及び第二面に関して、隣り合う２つの前記シート状部材のうちの一方のシート状部材の前記第一面と他方のシート状部材の前記第二面とが当接するように重ね合わされ、
前記少なくとも１つのシート状部材は、
前記第一面及び前記第二面に跨り存在するように設けられた縁部と、 
前記第一面に存在する折り曲げ線であって、前記折り目上に存在する折り曲げ起点と前記縁部とを結ぶ第一折り曲げ線と、
前記第二面に存在する折り曲げ線であって、前記折り曲げ起点と前記縁部とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、陳列棚である。
本別態様の（４）は、２つ以上の前記シート状部材が、前記陳列部を有する陳列棚であって、
複数の前記陳列部によって一つの陳列面を形成可能である、前記別態様（３）の陳列棚である。
本別態様の（５）は、折り目に沿って折り曲げられた、一のシート状部材と別のシート状部材とに関して、前記一のシート状部材の前記折り目の山側と、前記別のシート状部材の前記折り目の谷側と、が当接するように配置され、前記一のシート状部材の前記折り目の谷側に陳列面を有する、折り畳み及び展開可能な陳列棚であって、
前記一のシート状部材は、
前記折り目に対して一側に位置する第一面と、前記折り目に対して他側に位置する第二面とを有し、
前記第一面及び前記第二面に跨り存在するように設けられた縁部と、 
前記第一面に存在する折り曲げ線であって、前記折り目上に存在する折り曲げ起点と前記縁部の端点とを結ぶ第一折り曲げ線と、
前記第二面に存在する折り曲げ線であって、前記折り曲げ起点と前記縁部の端点とを結ぶ第二折り曲げ線と、
で囲まれる陳列部を有し、
前記陳列部を前記折り目の谷側へ引き出すように前記第一折り曲げ線及び前記第二折り曲げ線に沿って前記第一面及び前記第二面を折り曲げることにより、前記陳列面を形成可能である
ことを特徴とする、折り畳み及び展開可能な陳列棚である。
本別態様の（６）は、前記陳列面の底部に設けられた開口部と、
前記開口部を挿通する棒状部材と、
前記棒状部材が挿入され、当該挿入された棒状部材を支持する支持空間と、を更に有し、
前記開口部と前記支持空間とは、前記棒状部材が連通可能となっており、
前記第一面及び前記第二面に跨り存在し、且つ、前記折り曲げ起点に隣接するように設けられ頂辺部と、
前記第一面及び前記第二面に跨り存在し、且つ、前記折り目において、前記頂辺部からみて前記折り曲げ起点とは異なる側に設けられた底辺部と、
前記第一面に存在する折り曲げ線であって、前記頂辺部の端点と、前記底辺部の端点と、を結ぶ第一支持部折り曲げ線と、
前記第二面に存在する折り曲げ線であって、前記頂辺部の端点と、前記底辺部の端点と、を結ぶ第二支持部折り曲げ線と、
で囲まれる支持部を有し、
前記支持部を前記折り目の谷側へ引き出すように前記第一支持部折り曲げ線及び前記第二支持部折り曲げ線に沿って前記第一面及び前記第二面を折り曲げることにより、前記支持空間を形成可能である、前記別態様（１）〜（５）の何れか一つの陳列棚である。
本別態様の（７）は、全ての前記シート状部材が、一体的に形成されている、前記別態様（１）〜（６）の何れか一つの陳列棚である。
本別態様の（８）は、前記シート状部材が紙製である、前記別態様（１）〜（７）の何れか一つの陳列棚である。